(57)【要約】      （修正有）【課題】監視対象である居住者の行動をセンサで束縛しないとともに、居住者の行動に応じてあらかじめ記録された行動記録を適切に訂正するための行動記録情報誤り検出装置および行動記録情報誤り検出システムを提供する。【解決手段】行動記録情報誤り検出装置２００は、建造物内の利用者および対象物の検知情報が入力される情報入力部２１０と、検知情報から建造物内の利用者の有無、および、建造物の利用者が操作した対象物を推定する推定部２２６と、推定された結果から利用者の行動を判定する行動判定部２２４と、利用者の行動記録情報があらかじめ記憶された記憶部２３０と、判定された利用者の行動と、利用者の行動記録情報とを比較し、一致しない行動を行動記録情報の誤りとして検出する誤り検出部２２５と、誤りとして検出された情報を出力する検出情報出力部２４０と、を含む。【選択図】図３
2020021137.tif 000002
【特許請求の範囲】
【請求項１】
建造物内の利用者および対象物の検知情報が入力される情報入力部と、
前記検知情報から前記建造物内の利用者の有無、および、前記建造物の利用者が操作した対象物を推定する推定部と、
前記推定された結果から前記利用者の行動を判定する行動判定部と、
前記利用者の行動記録情報があらかじめ記憶された記憶部と、
前記判定された前記利用者の行動と、前記利用者の前記行動記録情報とを比較し、一致しない行動を前記行動記録情報の誤りとして検出する誤り検出部と、
前記誤りとして検出された情報を出力する検出情報出力部と、を含む行動記録情報誤り検出装置。
【請求項２】
前記検知情報は、前記建造物内の照度情報、前記建造物内の前記利用者の移動情報および前記建造物内の電気機器の電力量情報を含むことを特徴とする請求項１に記載の行動記録情報誤り検出装置。
【請求項３】
前記推定部は、センサ状態推定部、電気機器状態推定部、および、分電盤状態推定部を含み、
前記センサ状態推定部は、前記検知情報から前記建造物の照明装置の使用の有無、および、前記利用者の有無を推定し、
前記電気機器状態推定部は、前記検知情報から前記建造物の電気機器を前記利用者が操作したか否かを推定し、
前記分電盤状態推定部は、前記検知情報から前記建造物の分電盤に接続される電気機器を前記利用者が操作したか否かを推定することを特徴とする請求項１または２に記載の行動記録情報誤り検出装置。
【請求項４】
電力量情報には、前記建造物内の前記電気機器および前記分電盤の待機電力量情報が含まれ、前記電気機器状態推定部および前記分電盤状態推定部は前記電力量情報が前記待機電力量情報を超えた場合に、前記利用者が前記電気機器を操作したと推定することを特徴とする請求項３に記載の行動記録情報誤り検出装置。
【請求項５】
前記記憶部には、行動判定条件情報があらかじめ記憶され、前記行動判定条件情報は、前記建造物内の前記利用者の移動情報、および、前記利用者の前記対象物の操作情報から前記利用者の行動を判定する条件が示される情報であり、
前記行動判定部は、前記行動判定条件情報と、前記推定部の推定結果から前記利用者の行動を判定することを特徴とする請求項１乃至４のいずれか一項に記載の行動記録情報誤り検出装置。
【請求項６】
前記利用者の行動には、前記利用者が調理中であるか否かという行動が含まれることを特徴とする請求項１乃至５のいずれか一項に記載の行動記録情報誤り検出装置。
【請求項７】
請求項１乃至６のいずれか一項に記載の行動記録情報誤り検出装置と、
前記行動記録情報誤り検出装置の前記情報入力部に検知情報を出力する検知情報出力装置と、
前記行動記録情報誤り検出装置の検出情報出力部から出力される検出情報を出力する検出情報出力装置と、を含む行動記録情報誤り検出システム。
【請求項８】
検知情報出力装置には、センサ装置および電力量計測装置が含まれることを特徴とする請求項７に記載の行動記録情報誤り検出システム。
【請求項９】
前記電力量計測装置には、前記建造物の分電盤であって、ＩＨ調理設備が接続される前記分電盤の電力量を計測する電力量計測装置、および、電気機器の電力量を計測する電力量計測装置が含まれることを特徴とする請求項８に記載の行動記録情報誤り検出システム。
【請求項１０】
前記センサ装置には、照度センサおよび人感センサが含まれることを特徴とする請求項８または９に記載の行動記録情報誤り検出システム。
【発明の詳細な説明】
【技術分野】
【０００１】
本発明は、行動記録情報誤り検出装置および行動記録情報誤り検出システムに関する。
【背景技術】
【０００２】
従来から、監視対象の生体情報および動作情報、並びに、周辺情報に関するセンサデータから監視対象の行動内容を測定する装置によって、複数種類の行動履歴を収集し、それら行動履歴から利用者の行動記録の入力を支援する技術が知られている。
【０００３】
例えば、特許文献１には、監視対象である人の動作状態から複数の行動内容を推定し、各時間帯に行動内容の候補を提示し、行動内容の入力を簡易にし、行動履歴を作成するために要する労力を低減できる行動記録入力支援システムが開示されている。
【先行技術文献】
【特許文献】
【０００４】
【特許文献１】特開２０１０―１４６２２１号公報
【発明の概要】
【発明が解決しようとする課題】
【０００５】
しかし、上記の行動記録入力支援システムは、監視対象である人の身体にセンサを装着する必要があるので、監視対象である人の行動を束縛し、または、監視対象である人にとってセンサが気になるということがあった。また、上記の行動記録入力支援システムは、複数の行動内容の候補を表示し、監視対象である人が候補の中から行動内容を選択することで、行動内容が確定されて記録されるので、記録に間違いがあった場合に間違いを検出できないということがあった。
【０００６】
本発明は、このような従来技術の有する課題に鑑みてなされたものである。そして、本発明の目的は、監視対象である居住者の行動をセンサで束縛しないとともに、居住者の行動に応じてあらかじめ記録された行動記録を適切に訂正するための行動記録情報誤り検出装置および行動記録情報誤り検出システムを提供することにある。
【課題を解決するための手段】
【０００７】
上記課題を解決するために、本発明の第一の態様に係る行動記録情報誤り検出装置は、建造物内の利用者および対象物の検知情報が入力される情報入力部と、前記検知情報から前記建造物内の利用者の有無、および、前記建造物の利用者が操作した対象物を推定する推定部と、前記推定された結果から前記利用者の行動を判定する行動判定部と、前記利用者の行動記録情報があらかじめ記憶された記憶部と、前記判定された前記利用者の行動と、前記利用者の前記行動記録情報とを比較し、一致しない行動を前記行動記録情報の誤りとして検出する誤り検出部と、前記誤りとして検出された情報を出力する検出情報出力部と、を備える。
【０００８】
本発明の第二の態様に係る行動記録情報誤り検出システムは、第一の態様に係る行動記録情報誤り検出装置と、前記行動記録情報誤り検出装置の前記情報入力部に検知情報を出力する検知情報出力装置と、前記行動記録情報誤り検出装置の検出情報出力部から出力される検出情報を出力する検出情報出力装置と、を備える。
【発明の効果】
【０００９】
本開示によれば、監視対象である居住者の行動をセンサで束縛しないとともに、居住者の行動に応じてあらかじめ記録された行動記録を適切に訂正するための行動記録情報誤り検出装置および行動記録情報誤り検出システムを提供することができる。
【図面の簡単な説明】
【００１０】
【図１】本実施形態に係わる行動記録情報誤り検出システムの一例を示す図である。
【図２】本実施形態に係わる行動記録情報誤り検出システムの一例を一般住宅に設置した一例を示す図である。
【図３】本実施形態に係わる行動記録情報誤り検出装置の一例を示す図である。
【図４】本実施形態に係わる世帯の行動の判定条件の一例を示す図である。
【図５】本実施形態に係わる待機電力量の判定条件の一例を示す図である。
【図６】本実施形態に係わる行動記録情報誤り検出システムのフローチャートの一例を示す図である。
【発明を実施するための形態】
【００１１】
以下、本実施形態に係わる行動記録情報誤り検出装置および行動記録情報誤り検出システムについて詳細に説明する。なお、図面の寸法比率は説明の都合上誇張されており、実際の比率と異なる場合がある。
【００１２】
（行動記録情報誤り検出システム）
本実施形態に係わる行動記録情報誤り検出システム１０００の一例を図１に示す。図１に示すように、行動記録情報誤り検出システム１０００は、センサ装置１１０および電力量計測装置１２０を含む検知情報出力装置１４０、行動記録情報電子化装置１３０、行動記録情報誤り検出装置２００並びに検出情報出力装置３００を含んで構成される。
【００１３】
行動記録情報誤り検出システム１０００は、一般の住宅、および、オフィスを含む商業施設等の建造物に設置されることができる。以下の説明では、行動記録情報誤り検出システム１０００が一般の住宅およびオフィスに設置される場合について説明する。
【００１４】
センサ装置１１０は、一般の住宅の照明が点灯される可能性がある区画、および、人が入退出する可能性がある区画に配置される。センサ装置１１０には、照明の点灯および消灯を検知できる照度センサ、並びに、人の動きを検出することができる人感センサの組み合わせが一例として挙げられる。本実施形態では、センサ装置１１０に照度センサおよび人感センサが含まれる場合について以下に説明する。
【００１５】
照度センサにはフォトトランジスタを含む電子装置が一例として挙げられる。また、人感センサにはＣＣＤイメージセンサを搭載したカメラ、または、赤外線センサ等の温度センサが一例として挙げられる。
【００１６】
照度センサは、照度センサが配置された区画の天井灯などの照明装置の照度を検知することができる。なお、照度センサが配置された区画に日光が差し込む場合に、照度センサは照明装置がＯＮになっていると誤って検知することがある。そこで、本実施形態では照度センサの検知情報は夜間の時間帯のみで使用する。夜間の時間帯の一例は、１９：００〜０４：３０分であるが、行動記録情報誤り検出システム１０００は、夜間の時間帯を任意の時間帯に設定することが可能である。
【００１７】
人感センサは、人感センサが配置された区画に人が侵入したか否か、該当区画に人が存在しているか否かを検知することができる。例えば、人感センサは、人感センサに含まれるカメラが撮像したイメージから人の形状を認識することが可能である。また、人感センサとしての温度センサが人体から放出される赤外線を検出して、人の動きを検出することが可能である。
【００１８】
電力量計測装置１２０には、２種類のタイプがある。第１のタイプは、建造物で使用される電子レンジ、トースター、テレビ等の電気機器の電源プラグに接続され、コンセントに差し込むタイプの電力量計測器である。第２のタイプは、分電盤の分岐ブレーカに対して設けられる電力量計測器であって、分岐ブレーカは、電子レンジ、トースター、ＩＨ（induction heating）調理設備等に対する専用分岐である。
【００１９】
本実施形態では、第１のタイプの電力量計測装置１２０は、電子レンジ、トースターおよびテレビに接続される。また、第２のタイプの電力量計測装置１２０は、電子レンジ、トースター、および、ＩＨ（induction heating）調理設備を含む専用分岐に接続される。ＩＨ調理設備には電源プラグがないために専用分岐に直接接続される。
【００２０】
したがって、第１のタイプの電力量計測装置１２０は、電子レンジ、トースターおよびテレビ等の電気機器それぞれの消費電力量を計測する。また、第２のタイプの電力量計測装置１２０は、電子レンジ、トースター、および、ＩＨ調理設備の合計の消費電力量を計測する。
【００２１】
本実施形態では、電力量計測装置１２０は２分間毎に２分間の電力量を出力することができる。しかし、行動記録情報誤り検出システム１０００は、電力量計測装置１２０の出力タイミングと、電力の積算時間を任意の値とすることができる。
【００２２】
行動記録情報電子化装置１３０は、建造物における居住者が記録した居住者の行動の記録情報がデジタルデータとして電子化される装置である。電子化されたデジタルデータは、行動記録情報誤り検出装置２００に記憶される。
【００２３】
本実施形態では、居住者の行動は１５分単位で記録される。
【００２４】
行動記録情報誤り検出装置２００については、後述する図３の説明において詳述する。
【００２５】
検出情報出力装置３００には、表示ディスプレイ等の人間に検出情報を通知するための電子装置が一例として挙げられる。
【００２６】
検出情報出力装置３００が表示ディスプレイを含む電子装置である場合には、検出情報は、テキスト、イメージ、音声、または、それらの組み合わせで人間に通知されることが可能である。
【００２７】
上述したように、行動記録情報誤り検出システム１０００は、行動記録情報誤り検出装置２００と、行動記録情報誤り検出装置２００の情報入力部２１０に検知情報を出力する検知情報出力装置１４０と、を含む。さらに、行動記録情報誤り検出システム１０００は、行動記録情報誤り検出装置２００の検出情報出力部２４０から出力される検出情報を出力する検出情報出力装置３００と、を含む。
【００２８】
上述したように、検知情報出力装置１４０には、センサ装置１１０および電力量計測装置１２０が含まれ、センサ装置１１０には、照度センサおよび人感センサが含まれる。また、電力量計測装置１２０には、建造物の分電盤であって、ＩＨ調理設備が接続される分電盤の電力量を計測する電力量計測装置、および、電気機器の電力量を計測する電力量計測装置が含まれる。
【００２９】
したがって、行動記録情報誤り検出システム１０００は、監視対象である居住者の行動をセンサで束縛しないように構成できる。
【００３０】
（行動記録情報誤り検出システムの配置例）
図２は、行動記録情報誤り検出システム１０００を一般の住宅２０００およびオフィスを含むデータセンター２０５０に配置する例を示す図である。住宅２０００にはキッチン２０１０、リビング２０２０、寝室２０３０の３つの区画が含まれる。また、図示されていないが住宅２０００に廊下、浴室、洗面所、玄関等の区画が含まれる。
【００３１】
図２の住宅２０００には、行動記録情報誤り検出システム１０００のセンサ装置１１０ａ、センサ装置１１０ｂ、センサ装置１１０ｃ、電力量計測装置１２０ａ、電力量計測装置１２０ｂ、電力量計測装置１２０ｃ、および、電力量計測装置１２０ｄが配置される。行動記録情報誤り検出装置２００および検出情報出力装置３００は、居住者の行動パターンを集計、分析等の処理を実行するデータセンター２０５０等のオフィスに設置される。行動記録情報電子化装置１３０は、住宅２０００およびデータセンター２０５０のいずれに設置されてもよい。
【００３２】
本実施形態において、センサ装置１１０ａ、センサ装置１１０ｂ、または、センサ装置１１０ｃを区別しない場合、単にセンサ装置１１０と記載する場合がある。また、本実施形態において、電力量計測装置１２０ａ、電力量計測装置１２０ｂ、電力量計測装置１２０ｃ、または、電力量計測装置１２０ｄを区別しない場合、単に電力量計測装置１２０と記載する場合がある。
【００３３】
また、センサ装置１１０は、キッチン２０１０、リビング２０２０、寝室２０３０の３つの区画に配置されているが、これに限定されるわけではなく、住宅２０００のいずれかの場所に配置されることができる。例えば、センサ装置１１０は、住宅２０００の廊下、浴室、洗面所、玄関等の区画にも配置され得る、
【００３４】
図２に戻って説明すると、キッチン２０１０では、センサ装置１００ａが天井に配置される。しかし、センサ装置１１０ａ、センサ装置１１０ｂ、センサ装置１１０ｃ等のセンサ装置１１０は区画の天井に配置される場合に限定されるわけではなく、区画の全体または対象物を検知できる場所であればいずれの場所にも配置され得る。
【００３５】
センサ装置１１０ａは、キッチン２０１０に人がいるか否か、および、キッチン２０１０の照明装置の照度を検知することができる。また、センサ装置１１０ｂは、リビング２０２０に人がいるか否か、および、リビング２０２０の照明装置の照度を検知することができる。同様に、センサ装置１１０ｃは、寝室２０３０に人がいるか否か、および、寝室２０３０の照明装置の照度を検知することができる。
【００３６】
キッチン２０１０に配置された、電力量計測装置１２０ａは、電子レンジ１１の消費電力量を計測するための第１のタイプの電力量計測装置である。さらに、キッチン２０１０に配置された、電力量計測装置１２０ｂは、トースター１２の消費電力量を計測するための第１のタイプの電力量計測装置である。
【００３７】
リビング２０２０に配置された、電力量計測装置１２０ｃは、テレビ２１の消費電力量を計測するための第１のタイプの電力量計測装置である。
【００３８】
なお、リビング２０２０に配置された、電力量計測装置１２０ｄは、分電盤（図示せず）の専用分岐に設けられた第２のタイプの電力量計測装置である。ここで当該専用分岐には、キッチン２０１０に配置された電子レンジ１１、トースター１２、および、ＩＨ調理設備が接続されている。したがって、居住者が調理をしようとして、電子レンジ１１、トースター１２、または、ＩＨ調理設備を使用すれば電力量計測装置１２０ｄが使用された電気機器の合計の消費電力量を計測する。
【００３９】
また、電力量計測装置１２０ｄは、電力量計測装置１２０ａ、電力量計測装置１２０ｂおよび電力量計測装置１２０ｃが計測した電力量データを受信する機能を有する。したがって、電力量計測装置１２０ｄは、電力量計測装置１２０ａ、電力量計測装置１２０ｂおよび電力量計測装置１２０ｃと有線または無線で接続される。
【００４０】
また、電力量計測装置１２０ｄは、センサ装置１１０ａ、センサ装置１１０ｂおよびセンサ装置１１０ｃが検知したデータを受信する機能を有する。したがって、電力量計測装置１２０ｄは、センサ装置１１０ａ、センサ装置１１０ｂおよびセンサ装置１１０ｃと有線または無線で接続される。
【００４１】
したがって、電力量計測装置１２０ｄは、センサ装置１１０の検知データ、および、電力量計測装置１２０ｄを含む電力量計測装置１２０の電力量データを行動記録情報誤り検出装置２００に送信する機能を有する。電力量計測装置１２０ｄは、行動記録情報誤り検出装置２００と、有線または無線で接続される。
【００４２】
なお、センサ装置１１０および電力量計測装置１２０のそれぞれの装置が、行動記録情報誤り検出装置２００と有線または無線で接続され、データを行動記録情報誤り検出装置２００に直接送信することも可能である。
【００４３】
（行動記録情報誤り検出装置２００）
次に、行動記録情報誤り検出装置２００の一例について図３を参照して説明する。行動記録情報誤り検出装置２００は、情報入力部２１０、処理部２２０、各種の判断情報を記憶する記憶部２３０、検出情報出力装置３００とのインターフェースとして機能する検出情報出力部２４０を含んで構成される。すなわち、行動記録情報誤り検出装置２００は、情報入力部２１０、処理部２２０、記憶部２３０、検出情報出力部２４０を含む一般的なコンピュータである。一般的なコンピュータが制御プログラムを実行することにより、図３に示す機能を実現する。
【００４４】
また、記憶部２３０は、ＲＯＭ（Read Only Memory）、ＲＡＭ（Random access memory）、ハードディスク等である。記憶部２３０は、処理部２２０が処理を実行するための入力データ、出力データおよび中間データなどの各種データを記憶する。また、処理部２２０はＣＰＵ（Central Processing Unit）であってもよい。処理部２２０は、記憶部２３０に記憶されたデータを読み書きしたり、情報入力部２１０および検出情報出力部とデータを入出力したりして、行動記録情報誤り検出装置２００における処理を実行する。
【００４５】
情報入力部２１０は、センサ装置１１０および電力量計測装置１２０とのインターフェースとして機能する。すなわち、情報入力部２１０は、センサ装置１１０の検知データおよび電力量計測装置１２０の電力量データを受信する。また、情報入力部２１０は、検知データまたは電力量データの伝送タイミング等を制御する制御信号をセンサ装置１１０および電力量計測装置１２０に伝送する機能を有する場合もある。
【００４６】
処理部２２０は、センサ状態推定部２２１、電気機器状態推定部２２２および分電盤状態推定部２２３を含む推定部２２６、行動判定部２２４並びに誤り検出部２２５を含む。処理部２２０は、検知情報からさまざまな状況を推定し、居住者の行動の判定および行動の誤りを検出する機能を実行する。
【００４７】
センサ状態推定部２２１は、住宅の各区画に設置されたセンサ装置１１０で検知された照度データ、赤外線データまたはイメージデータから、各区画の照明装置のＯＮ／ＯＦＦおよび人の有無を推定する。推定のタイミングは、定期的、または、検知された情報が特定の条件を満たした場合のいずれであってもよい。
【００４８】
例えば、センサ状態推定部２２１は、検知された情報が受信されてくるタイミングで、検知された情報から照明装置のＯＮ／ＯＦＦおよび人の有無を推定する。一例として、検知された情報は２分間隔で送受信されるが、これに限定されるわけではなく、行動記録情報誤り検出システム１０００が受信間隔を任意の値に設定することができる。
【００４９】
また、一例として、センサ状態推定部２２１は、照度センサで計測された区画の照度が１００ルクス以上になったことを検知すると、照明装置がＯＮになっていると判断するように設定される。照明装置がＯＮになっていると判断する照度は、行動記録情報誤り検出システム１０００が任意の値に設定することができる。
【００５０】
電気機器状態推定部２２２は、電力量計測装置１２０で検知された電気機器の消費電力量から、電気機器が使用されているか否かを推定する。
【００５１】
なお、通常、電気機器には待機電力があるので、電力量計測装置１２０が待機電力量を計測することによって、電気機器状態推定部２２２が、電気機器が使用されていると誤判断しないようにするアルゴリズムについて図５を参照して以下に説明する。
【００５２】
図５は、テレビ２１で計測された電力量のヒストグラムである。横軸は計測された電力量［Ｗｈ／２分］であり、縦軸は計測された回数を示す。図５から、最も計測された回数が多い電力量は１［Ｗｈ／２分］であり、２番目に計測された回数が多い電力量は５［Ｗｈ／２分］である。
【００５３】
電気機器には使用状態と待機状態があり、使用状態の電力量は待機状態の電力量よりも大きい。したがって、０［Ｗｈ／２分］よりも大きい電力量にピークが複数ある場合には、電気機器状態推定部２２２は０［Ｗｈ／２分］に最も近い電力量のピークを待機電力量と判断することができる。図５の場合には、１［Ｗｈ／２分］が待機電力量となるので、２［Ｗｈ／２分］以上の電力量が計測されれば、電気機器状態推定部２２２は、対象となる電気機器が使用状態であると推定する。このようにして、電力量計測装置１２０が待機電力量を計測することによって、電気機器状態推定部２２２が、電気機器が使用されていると誤判断しないようにする。
【００５４】
分電盤状態推定部２２３は、分電盤で検知された電力量から、分電盤に接続された電気機器が使用されているか否かを推定する。電気機器状態推定部２２２と同様に、分電盤状態推定部２２３も分電盤に接続された電気機器の合計の待機電力量を推定し、合計の待機電力量を超える電力量が計測された場合に、いずれかの電気機器が使用状態にあると推定する。
【００５５】
行動判定部２２４は、センサ状態推定部２２１、電気機器状態推定部２２２および分電盤状態推定部２２３で推定された情報と、記憶部２３０に記憶された行動判定条件情報２３１とから、居住者の行動を判定する。
【００５６】
図４を参照して、行動判定条件情報２３１の詳細について説明する。判定結果は、居住者の全員が外出している、居住者の全員が睡眠中である、居住者のだれかが在宅している、居住者のだれかが調理中である、または、居住者のだれも調理していないという判定の５つである。
【００５７】
最初に、居住者の全員が外出していると判定される条件について説明する。すべての人感センサに反応が無く（Ａ）、夜間の場合の照度センサに反応が無く（Ｂ）、すべての電気機器の電力量が待機電力量であると推定され（Ｃ）、分電盤の電力量が待機電力量である（Ｄ）と推定される場合には、居住者の全員が外出していると判定される。この条件は、Ａ、Ｂ、ＣおよびＤの論理積が成立することを意味し、図４では、Ａ∧Ｂ∧Ｃ∧Ｄの記号で示される。ここで、照度センサに反応が無い（Ｂ）とは、照度センサで計測した照度が１００ルクス未満であることを意味する。
【００５８】
次に、在宅している居住者の全員が睡眠していると判定される条件について説明する。夜間の場合の照度センサに反応が無く（Ｂ）、すべての電気機器の電力量が待機電力量であると推定され（Ｃ）、分電盤の電力量が待機電力量である（Ｄ）と推定される場合には、居住者の全員が外出していると判定される。この条件は、Ｂ、ＣおよびＤの論理積が成立することを意味し、図４では、Ｂ∧Ｃ∧Ｄの記号で示される。
【００５９】
この場合に、人感センサの反応を条件から除いているのは、次の理由による。すなわち、居住者が睡眠中であっても、体を動かすことがあり、その場合には、人感センサが反応してしまうからである。
【００６０】
次に、居住者のだれかが在宅していると判定される条件について説明する。いずれかの人感センサに反応が有る（Ａ）か、夜間の場合のいずれかの照度センサに反応が有る（Ｂ）か、いずれかの電気機器が使用電力量である（Ｃ）か、分電盤が使用電力量である（Ｄ）と推定される場合には、いずれかの居住者が在宅していると判定される。この条件は、Ａ、Ｂ、ＣおよびＤの論理和が成立することを意味し、図４では、Ａ∨Ｂ∨Ｃ∨Ｄの記号で示される。
【００６１】
次に、居住者のだれかが調理中であると判定される条件について説明する。キッチンの人感センサに反応有り（Ａ）か、夜間のキッチンの照度センサに反応有り（Ｂ）か、いずれかの調理用電気機器が使用電力量である（Ｃ）か、調理家電が接続されている分岐回路の電力量が使用電力量である（Ｄ）と推定される場合に以下の推定をする。すなわち、いずれかの居住者が調理中であると判定される。上述したように、分電盤には、調理用設備であるＩＨ調理設備が接続されている。この条件は、Ａ、Ｂ、ＣおよびＤの論理和が成立することを意味し、図４では、Ａ∨Ｂ∨Ｃ∨Ｄの記号で示される。
【００６２】
次に、居住者のだれもが調理をしていないと判定される条件について説明する。すべての調理用電気機器が待機電力量であり（Ｃ）、ＩＨ調理設備を含む調理用電気機器が接続される分電盤が待機電力量である（Ｄ）と推定される場合には、いずれの居住者も調理をしていないと判定される。この条件は、ＣおよびＤの論理積が成立することを意味し、図４では、Ｃ∧Ｄの記号で示される。
【００６３】
上述した記憶部２３０に記憶された行動判定条件情報２３１に基づいて、行動判定部２２４は、センサ状態推定部２２１、電気機器状態推定部２２２および分電盤状態推定部２２３で推定された情報から居住者の行動を判定する。
【００６４】
誤り検出部２２５は、行動判定条件情報２３１に基づいて判定された居住者の行動と、あらかじめ記憶部２３０に記憶された居住者の行動記録情報とを比較し、行動記録情報の誤りを検出する。
【００６５】
行動記録情報は、センサ装置１１０、電力量計測装置１２０で情報が検知された時間帯に対して、居住者が記録した居住者の行動に関する記録情報である。
【００６６】
なお、センサ状態推定部２２１、電気機器状態推定部２２２および分電盤状態推定部２２３は、行動判定条件情報２３１に基づいて判定された居住者の行動と、行動記録情報の時間軸を整合させる。この場合には、行動判定部２２４は、センサ状態推定部２２１、電気機器状態推定部２２２および分電盤状態推定部２２３で推定された情報から居住者の行動を任意の時間間隔で判定する。一例として、行動記録情報は居住者の一日の行動が１５分間隔で記録されているので、前記任意の時間間隔の一例は１５分間隔である。
【００６７】
例えば、０８時００分〜０８時１４分の間に人感センサの反応が無い場合には、０８時００分の人感センサの反応無し、とする。また、０８時００分〜０８時１４分の間に人感センサの反応が一度でもあれば、０８時００分の人感センサの反応有り、とする。
【００６８】
また、例えば、０８時００分〜０８時１４分の間の照度センサの照度が１００ルクス未満の場合には、０８時００分の照度センサの反応無し、とする。また、０８時００分〜０８時１４分の間に照度センサの照度が１００ルクス以上に一度でもなれば、０８時００分の照度センサの反応有り、とする。
【００６９】
さらに、例えば、０８時００分〜０８時１４分の間の電力量計測装置１２０で計測した電力量が待機電力量である場合には、０８時００分の電力反応無し、とする。また、０８時００分〜０８時１４分の間の電力量計測装置１２０で計測した電力量が待機電力量を超えれば、０８時００分の電力反応有り、とする。
【００７０】
なお、調理中であるか否かを判定する場合には、第１のタイプの電力量計測装置１２０は、電子レンジ１１に接続された電力量計測装置１２０ａおよびトースター１２に接続された電力量計測装置１２０ｂを使用する。
【００７１】
上述したように、誤り検出部２２５は、行動判定条件情報２３１に基づいて判定された居住者の行動と、行動記録情報の時間軸のスケールを合わせる。すなわち、１時間を１５分間隔で４つの時間帯に分割する。例えば、誤り検出部２２５は、０８時００分〜０８時１５分の行動を０８時００分の行動とし、０８時１５分〜０８時３０分の行動を０８時１５分の行動とする。また、誤り検出部２２５は、０８時３０分〜０８時４５分の行動を０８時３０分の行動とし、０８時４５分〜０９時００分の行動を０８時４５分の行動とする。
【００７２】
そして、誤り検出部２２５は、行動判定条件情報２３１に基づいて判定された居住者の行動と、記憶部２３０に記憶された行動記録情報を、毎時、００分、１５分、３０分、４５分のデータで比較する。誤り検出部２２５は、比較したデータが示す居住者の行動が一致しない場合には、対応する時間帯の行動記録情報が誤りであるとして検出する。
【００７３】
誤り検出部２２５によって誤りであるとして検出された時間帯に対応する行動記録情報は、検出情報出力部２４０を介して検出情報出力装置３００に出力される。また、誤り検出部２２５によって正しいとして検出された時間帯に対応する行動記録情報も、検出情報出力部２４０を介して検出情報出力装置３００に出力されてもよい。
【００７４】
一例として、検出情報出力装置３００が一日を横軸または縦軸で１５分ごとに区切り、区切られた領域を行動記録情報が正しいか誤っているかによって色分けし、表示するようにしてもよい。このようにすると、データを処理するオペレータは、行動記録情報が誤っている時間帯を瞬時に判断することが可能になる。
【００７５】
上述したように、行動記録情報誤り検出装置２００は、建造物内の利用者および対象物の検知情報が入力される情報入力部２１０と、検知情報から建造物内の利用者の有無、および、建造物の利用者が操作した対象物を推定する推定部２２６と、を含む。さらに、行動記録情報誤り検出装置２００は、推定された結果から利用者の行動を判定する行動判定部２２４と、利用者の行動記録情報があらかじめ記憶された記憶部２３０と、を含む。さらに、行動記録情報誤り検出装置２００は、判定された利用者の行動と、利用者の行動記録情報とを比較し、一致しない行動を前記行動記録情報の誤りとして検出する誤り検出部２２５と、誤りとして検出された情報を出力する検出情報出力部２４０と、を含む。
【００７６】
また、上述したように、検知情報は、建造物内の照度情報、建造物内の利用者の移動情報および建造物内の電気機器の電力量情報を含む。
【００７７】
したがって、行動記録情報誤り検出装置２００は、監視対象である居住者の行動をセンサで束縛しないように構成できる。
【００７８】
さらに、上述したように、推定部２２６は、センサ状態推定部２２１、電気機器状態推定部２２２、および、分電盤状態推定部２２３を含む。センサ状態推定部２２１は、検知情報から建造物の照明装置の使用の有無、および、利用者の有無を推定する。電気機器状態推定部２２２は、検知情報から建造物の電気機器を利用者が操作したか否かを推定する。分電盤状態推定部２２３は、検知情報から建造物の分電盤に接続される電気機器を利用者が操作したか否かを推定する。
【００７９】
したがって、行動記録情報誤り検出装置２００は、監視対象である居住者の行動をセンサで束縛しないように構成できる。また、行動記録情報誤り検出装置２００は、居住者の行動を検知情報から推定することが可能になる。
【００８０】
さらに、上述したように、電力量情報には、建造物内の電気機器および分電盤の待機電力量情報が含まれ、電気機器状態推定部２２２および分電盤状態推定部２２３は電力量情報が待機電力量情報を超えた場合に、利用者が電気機器を操作したと推定する。
【００８１】
したがって、行動記録情報誤り検出装置２００は、待機電力量情報によって、利用者の電気機器に対する操作の誤判定を防止することが可能になる。
【００８２】
さらに、上述したように、記憶部２３０には、行動判定条件情報２３１があらかじめ記憶される。行動判定条件情報２３１は、建造物内の利用者の移動情報、および、利用者の対象物の操作情報から利用者の行動を判定する条件が示される情報であり、行動判定部２２４は、行動判定条件情報２３１と、推定部２２６の推定結果から利用者の行動を判定する。
【００８３】
したがって、行動記録情報誤り検出装置２００は、建造物内の利用者の移動情報、および、利用者の対象物の操作情報から利用者の行動を正確に判定することが可能になる。
【００８４】
さらに、上述したように、利用者の行動には、利用者が調理中であるか否かという行動が含まれる。
【００８５】
したがって、行動記録情報誤り検出装置２００は、利用者の行動が調理中であるか否かを判定することが可能になる。
【００８６】
（行動記録情報誤り検出システム１０００の動作）
以下、図６のフローチャートを用いて、行動記録情報誤り検出システム１０００の基本的な動作の一例を説明する。図６の処理手順は、行動記録情報誤り検出装置２００が有するＣＰＵ（図示せず）の記憶部２３０に格納されたプログラムにしたがいＣＰＵが実行する。
【００８７】
なお、以下の処理手順の一部または全部は、例えば、ＤＳＰやＡＳＩＣ等のハードウェアにより実行させることもできる。但し本実施形態では、記憶部２３０のプログラムにしたがってＣＰＵが実行する形態とした場合について説明する。
【００８８】
ステップＳ６０１において、行動記録情報誤り検出システム１０００は行動判定条件情報２３１を記憶部２３０に記憶する。行動判定条件情報２３１は、過去のデータから、行動記録情報誤り検出システム１０００が特定のアルゴリズムによって作成することもできる。行動判定条件情報２３１の詳細については、すでに詳述したので、記載の重複を避けるためにここでは省略する。
【００８９】
ステップＳ６０２において、行動記録情報誤り検出装置２００は、センサ装置１００および電力量計測装置１２０の検知情報を入力する。すなわち、センサ装置１００に含まれる人感センサおよび照度センサの検知情報が行動記録情報誤り検出装置２００に入力される。さらに、電力量計測装置１２０が計測した電子レンジ１１、トースター１２、テレビ２１等の電気機器および分電盤の電力量が検知情報として行動記録情報誤り検出装置２００に入力される。
【００９０】
ステップＳ６０３において、電気機器状態推定部２２２は電力量計測装置１２０が接続されている電気機器の待機電力量を推定する。また、分電盤状態推定部２２３は分電盤の待機電力量を推定する。
【００９１】
ステップＳ６０４において、センサ状態推定部２２１、電気機器状態推定部２２２および分電盤状態推定部２２３は、検知情報から検知状態を推定する。すなわち、センサ状態推定部２２１は、検知された情報が受信されてくるタイミングで、検知された情報から照明装置のＯＮ／ＯＦＦおよび人の有無を推定する。
【００９２】
また、電気機器状態推定部２２２は、電力量計測装置１２０で検知された電気機器の消費電力量から、電気機器が使用されているか否かを推定する。また、分電盤状態推定部２２３は、分電盤で検知された消費電力量から、分電盤に接続された電気機器が使用されているか否かを推定する。
【００９３】
ステップＳ６０５において、行動判定部２２４は、センサ状態推定部２２１、電気機器状態推定部２２２および分電盤状態推定部２２３で推定された情報と、記憶部２３０に記憶された行動判定条件情報２３１とから、居住者の行動を判定する。すなわち、判定結果は、居住者の全員が外出している、居住者の全員が睡眠中である、居住者のだれかが在宅している、居住者のだれかが調理中である、または、居住者のだれも調理していないという判定のいずれかである。
【００９４】
ステップＳ６０６において、行動記録情報誤り検出装置２００は、居住者の行動記録情報を入力し、記憶部２３０に記憶する。
【００９５】
ステップＳ６０７において、誤り検出部２２５は、行動判定条件情報２３１に基づいて判定された居住者の行動と、記憶部２３０に記憶された居住者の行動記録情報とを比較し、行動記録情報の誤りを検出する。
【００９６】
ステップＳ６０７において、誤り検出部２２５によって誤りであるとして検出された時間帯に対応する行動記録情報は、検出情報出力部２４０を介して検出情報出力装置３００に出力される。また、誤り検出部２２５によって正しいとして検出された時間帯に対応する行動記録情報も、検出情報出力部２４０を介して検出情報出力装置３００に出力されてもよい。
【００９７】
以上、本実施形態を説明したが、本実施形態はこれらに限定されるものではなく、本実施形態の要旨の範囲内で種々の変形が可能である。
【符号の説明】
【００９８】
１１０  センサ装置
１２０  電力量計測装置
１３０  行動記録情報電子化装置
２００  行動記録情報誤り検出装置
２１０  情報入力部
２２０  処理部
２２１  センサ状態推定部
２２２  電気機器状態推定部
２２３  分電盤状態推定部
２２４  行動判定部
２２５  誤り検出部
２３０  記憶部
２３１  行動判定条件情報
２３２  待機電力量情報
２４０  検出情報出力部
３００  検出情報出力装置
【図１】
2020021137.tif 000003
【図２】
2020021137.tif 000004
【図３】
2020021137.tif 000005
【図４】
2020021137.tif 000006
【図５】
2020021137.tif 000007
【図６】
2020021137.tif 000008